(57)【要約】【解決手段】一般的な家庭用蛍光灯は２灯点灯、１灯点灯、ナツメ球点灯、消灯のサイクルで切り替わる。従って就寝時、ナツメ球点灯の状態または消灯の状態から点灯すると、２灯点灯になり、明るすぎて同室者の安眠妨げになると言う問題があった。これを解決するため、ナツメ球点灯回路に直列にオンーオフスイッチを追加し、従来のスイッチでナツメ球の点灯状態に切替えておき、追加スイッチでナツメ球のみを、オンーオフする。【効果】ナツメ球はもともと就寝用にできているので、ナツメ球のオンーオフでは同室者の安眠妨害になりにくく安眠に効果がある。【選択図】    図１
2004327333.tif 000002
【特許請求の範囲】
【請求項１】
照明が明るい状態と就寝用の暗い状態と消灯した状態をこの順番に切り替える第１のスイッチと、
前記照明が就寝用の暗い状態と消灯した状態とを交互に繰り返すよう切り替える第２のスイッチとを備えたことを特徴とする照明器具。
【請求項２】
明るい状態では明るいランプ装置が点灯し、暗い状態では前記明るいランプ装置とは別の暗いランプ装置が点灯するものにおいて、
前記暗いランプ装置に暗いランプを取り付けるためのソケットに装着され、暗いランプを取り付ける部分と、暗いランプを点灯させた就寝用の暗い状態と、暗いランプを消灯した状態を交互に繰り返すよう切り替える、オン−オフスイッチとを有するソケット装置と、
このオン−オフスイッチを操作する、吊り下げ紐を備えたことを特徴とする照明器具用スイッチ装置。
【請求項３】
請求項１に記載の照明装置において、
第２のスイッチを操作する吊り下げ紐の下端に、微小発光素子を設け、
この微小発光素子への電流供給を行う電線を、前記吊り下げ紐と兼用する構造とし、
前記照明が消灯した状態では、前記微小発光素子のみ点灯できる構造にしたことを特徴とする照明器具。
【請求項４】
請求項２に記載の照明器具用スイッチ装置において、
吊り下げ紐の下端に、微小発光素子を設け、
この微小発光素子への電流供給を行う電線を、前記吊り下げ紐と兼用する構造とし、
前記照明が消灯した状態では、前記微小発光素子のみ点灯できる構造にしたことを特徴とする照明器具用スイッチ装置。
【請求項５】
請求項１に記載の照明装置において、
暗いランプの代わりに、赤、青、黄色の微小発光素子群と、これを点灯させる電流制御装置とを備え、かつ、
赤、青、黄色の微小発光素子を組み合わせて発光させる切り替えスイッチとマトリックス回路を備えたことを特徴とする照明装置。
【発明の詳細な説明】
【０００１】
【発明の属する技術分野】
本発明は、主として家庭用蛍光灯といった用途に使用される照明器具、照明器具用スイッチ装置及び照明器具用ランプ装置  に関する。
なを、以降の説明を簡易化するため、一部品名を実施例に合わせ以下のようにする。
暗いランプ装置：ナツメ球
証明器具用スイッチ装置：付加スイッチ
微小発光素子：ＬＥＤ
【０００２】
【従来の技術】
［照明器具］は、居間に使用されるほか、台所や寝室にも広く使用されている。この［照明器具］はスイッチの切り替え動作の順番に従い、明るい点灯状態、暗い点灯状態、消灯状態の順で点灯する。従来の［照明器具］は、次のような構造をしている。
図２は従来の照明器具の斜視図である。
図４は従来の照明器具の回路図である。
図中の符号をつけた部分は下記のような名前で呼ぶ。
１  傘
２  蛍光灯
３  グローランプ
４  ナツメ球
５  紐
６  電源コード
７  スイッチ１
８  トランスやコイル
図１において、紐（５）の奥には図４、スイッチ１（７）がある。さらにトランスやコイル（８）の蛍光灯の起動部品がある。
【０００３】
【発明が解決しようとする課題】
ここで、従来の照明器具の解決すべき課題を述べる。
第１に、照明の動作はスイッチイングの順に従い明るい点灯状態（二灯灯）、なり明るい点灯状態（一灯点灯状態）、暗い点灯状態（ナツメ球点灯状態）、消灯状態、明るい点灯状態（二灯点灯）とくりかえす。
従って、消灯状態の次は明るい点灯状態となる。この状態は、特に照明器具を寝室に設置した場合、就寝者が夜中に眼を覚ましトイレに行くため消灯状態を点灯状態にする。      このとき同室で寝ていた人がいれば明るくなることにより、望みもしない目覚めとなる問題があった。
【０００４】
本発明は以上の課題を解決するためになされたもので、スイッチ構成を改良し、消灯状態、暗い点灯状態の動作を繰り返すことができるようにし、同室の就寝者が不用意に目ざめることが少なくなるような照明器具を提供することを目的とするものである。
【０００５】
【課題を解決するための手段】
次項に説明する実施の形態によって実現される発明は、それぞれ次のような構成をしている。
〈構成１〉
照明が明るい状態と就寝用の暗い状態と消灯した状態をこの順番に切り替える第１のスイッチと、上記照明が就寝用の暗い状態と消灯した状態とを交互に繰り返すよう切り替える第２のスイッチとを備えたことを特徴とする照明器具。
【０００６】
第１のスイッチも、第２のスイッチも、照明の切り替えスイッチである。スイッチの種類は問わない。機械式でも電気式でもよい。自動的でも手動式でもよい。単一の照明が明るい状態と暗い状態と消灯した状態をとるとよい。また、明るい状態と暗い状態とでは別のランプが点灯するようにしてもよい。しかし、第１のスイッチでは、消灯した状態から暗い状態に移ることができない。消灯した状態から明るい状態を経て暗い状態に移る。そこで、第２のスイッチを設けて、消灯した状態から暗い状態に移る操作を可能にした。夜間に少しだけ明かりがほしいときに便利になる。
【０００７】
〈構成２〉
明るい状態では明るいランプ装置が点灯し、暗い状態では上記明るいランプ装置とは別の暗いランプ装置が点灯するものにおいて、上記暗いランプ装置に暗いランプを取り付けるためのソケットに装着され、暗いランプを取り付ける部分と、暗いランプを点灯させた就寝用の暗い状態と、暗いランプを消灯した状態を交互に繰り返すよう切り替える、オン−オフスイッチとを有するソケット装置と、このオン−オフスイッチを操作する、吊り下げ紐を備えたことを特徴とする照明器具用スイッチ装置。
【０００８】
ソケット装置は、暗いランプを取り付けた状態で、暗いランプ装置に装着できる。吊り下げ紐でオン−オフスイッチを操作して、暗いランプを点灯させた就寝用の暗い状態と、暗いランプを消灯した状態を交互に繰り返す。この装置によれば、従来使用されている照明装置を改造することなく、本発明を適用できる。
【０００９】
〈構成３〉
構成１に記載の照明装置において、第２のスイッチを操作する吊り下げ紐の下端に、微小発光素子を設け、この微小発光素子への電流供給を行う電線を、上記吊り下げ紐と兼用する構造とし、上記照明が消灯した状態では、上記微小発光素子のみ点灯できる構造にしたことを特徴とする照明器具。
【００１０】
〈構成４〉
構成２に記載の照明器具用スイッチ装置において、吊り下げ紐の下端に、微小発光素子を設け、この微小発光素子への電流供給を行う電線を、上記吊り下げ紐と兼用する構造とし、上記照明が消灯した状態では、上記微小発光素子のみ点灯できる構造にしたことを特徴とする照明器具用スイッチ装置。
【００１１】
〈構成５〉
構成１に記載の照明装置において、暗いランプの代わりに、赤、青、黄色の微小発光素子群と、これを点灯させる電流制御装置とを備え、かつ、赤、青、黄色の微小発光素子を組み合わせて発光させる切り替えスイッチとマトリックス回路を備えたことを特徴とする照明装置。
【００１２】
【発明の実施の形態】
以下、本発明の実施の形態を具体例を挙げながら詳細に説明する。なお、構成１、構成２といった構成番号と下記の具体例１、具体例２といった具体例番号とは、特に関連性は無く、必ずしも対応していない。
【００１３】
〈具体例１〉
図１は、具体例１の外観斜視図である。
図３は、具体例１の回路図である。
１  傘
２  蛍光灯
３  グローランプ
４  ナツメ球
６  電源コード
７  スイッチ１
８  トランスやコイル
９  紐Ａ
１０  紐Ｂ
１１  スイッチ２
６０  ＡＣ電源用コンネクタ
【００１４】
図において、外観上では、従来品と同じ用途の傘（１）、蛍光灯（２）グローランプ（３）ナツメ球（４）電源コード（６）スイッチ１（７）に加え、新たに紐Ａ（９）とナツメ球のみ点灯、消灯するための紐Ｂ（１０）を備える。
紐Ａ（９）と紐Ｂ（１０）は、から見合わない程度の間隔にとりつけてある。
また内部回路上ではナツメ球のみ点灯，消灯するためのスイッチ２（１１）を備える。
紐Ｂ（１０）はスイッチ２（１１）機構の切り替えレバーに接続されている。
使用方法及び機能動作。紐Ａ（９）の操作でスイッチ１（７）が切り替え動作し、一般の家庭用蛍光灯と同様に、明るい状態、かなり明るい状態、ナツメ球の状態、消灯の状態の順に明るさの切り替えを行う。この紐Ａ（９）でナツメ球が点灯した状態にしておき、紐Ｂ（１０）を切り替えれば、切り替え順にナツメ球だけが消灯、点灯だけを繰り返す。従って就寝時消灯したい人達で誰かがトイレにたつ時等に最大明るさになることを好まない人達にとって便利である。
【００１５】
〈具体例２〉
図５は具体例２の外観斜視図である。
図６は具体例２のスイッチ機構及び回路の構成図である。
１２  スイッチ機構Ｂ
１３  スイッチ機構Ｃ
１４  コード穴付レバー
１５  スイッチ２コンタクト
１６  コードＡ
１７  ノブＡ
【００１６】
図に於いて、スイッチ機構Ｂ（１２）は、コードＡ（１６）によって
スイッチ機構Ｃ（１３）のコード穴付レバー（１４）に取り付けられている。
コードＡ（１６）はスイッチ２コンタクト（１５）とスイッチ機構Ｃ（１３）とを接続している。
スイッチ機構Ｂ（１２）のノブＡ（１７）を左右にプッシュすることによりスイッチ２コンタクト（１５）がオン−オフ動作する。
使用方法及び機能動作。具体例１に対し、本具体例２は二系統の操作紐を一系統の紐（２本撚りコード）に置き換えたもので、目的及び動作は具体例１に準ずる。
【００１７】
〈具体例３〉
図７は具体例３の外観斜視図である。
図８は具体例３のスイッチ機構やＬＥＤ、電源供給の構成図である。
図１１は具体例３の回路図である。
１８  ＬＥＤ―Ａ
１９  コードＢ
２０  ＬＥＤ電源コンネクタ
２１  紐Ｃ
２２  レバーＣ
２３  ＬＥＤ
２４  抵抗器
【００１８】
図に於いて、ＬＥＤ―Ａ（１８）に２本のコードＢ（１９）がつながっておりその先に
ＬＥＤ電源コンネクタ（２０）がつながっている。さらにその先が抵抗器（２４）を経てＡＣ電源に接続されている。
ＬＥＤ−Ａ（１８）はナツメ球よりももっと明るさの少ないＬＥＤがよく、その存在が視認できる程度のものである。
コードＢ（１９）は本具体例ではスイッチ２（１１）ブロックのレバーＣ（２２）に取り付けてある紐Ｃ（２１）にからめてあるが、具体例２のように紐Ｃを使わず直接コードＢ（１９）でレバーＣ（２２）を直接駆動してもよい。
【００１９】
抵抗器（２４）はＡＣ電源（例えば１００Ｖ）からＬＥＤ（２３）が点灯できる程度に電流を制限するためと、抵抗器（２４）とＬＥＤ（２３）間でショートや断線があっても低電流化していることにより、危険にならない安全を確保するためのものである。従って抵抗器（２４）の代わり定電流回路を用いてもよい。
ＬＥＤ電源コンネクタ（２０）は保守部品の切り分けポイント用であると共に強すぎる力で引っ張ったとき外れる安全構造も兼ねている．
使用方法及び機能動作。スイッチ１（７）がナツメ球点灯位置にあり、スイッチ２（１１）がオフでナツメ球が消灯時、暗くて２本の紐の位置がまったくわからないと困るのでスイッチ２（１１）用紐Ｃ（２１）の先端に紐の存在がわかる程度のＬＥＤ−Ａ（１８）を点灯させる様にしてある。それ以外の動作は具体例１の動作と同じである。
【００２０】
〈具体例４〉
図９は具体例４の外観斜視図である。
図１０は具体例４のスイッチ機構と関連部分の構成図である。
図１２は具体例４の回路図である。
２５  ＬＥＤ付スイッチＡ
２６  ＬＥＤ電源コンネクタＢ
図において、ＬＥＤ付スイッチＡ（２５）はＬＥＤ点灯回路に直列に抵抗器（２４）をつないだものである。ＬＥＤ電源コンネクタＢ（２６）は保守部品の切り分けポイント用であると共に強すぎる力で引っ張った時外れる安全構造も兼ねている。
使用方法及び機能動作。具体例２のスイッチ機構Ｂ（１２）にＬＥＤを付けたもので、動作は具体例３に準ずる。
【００２１】
〈具体例５〉
図１３は具体例５の外観斜視図である。
図１４は照明器具用スイッチ装置（付加スイッチＡ）の構造図である。
２７  付加スイッチＡ
２８  紐Ｄ
２９  レバーＤ
３０  コンネクタプラグＡ
３１  コンネクタジャックＡ
３２  オン−オフスイッチＤ
６１  オン−オフスイッチＤ機構部
６２  ラチエットストッパＢ
【００２２】
本具体例は既存の家庭用蛍光灯照明器具を今まで述べたナツメ球を直接オン−オフする機能に改造するための改造用新規部品に関するものである。
付加スイッチＡ（２７）にはナツメ球と同じ形のコンネクタプラグＡ（３０）、ナツメ球用ソケットと同じ形をしたコンネクタジャックＡ（３１）、紐Ｄ（２８）を引くとレバーＤ（２９）を介してオン−オフ動作するオン−オフスイッチＤ（３２）が備わっている。
使用方法及び機能動作。  既存の蛍光灯照明器具のナツメ球を取り外す。新規部品の付加スイッチＡ（２７）をナツメ球を外したあとにねじ込む。付加スイッチＡ（２７）のコンネクタジャックＡ（３１）にナツメ球をねじこむ。
既存の蛍光灯の紐Ａ（９）でスイッチ１（７）を操作しナツメ球点灯の位置にする。そこで付加スイッチＡ（２７）の紐Ｄ（２８）を操作すれば交互にナツメ球がオン−オフする。
【００２３】
〈具体例６〉
図１５は具体例６の外観斜視図である。
図１６は紐先端にＬＥＤを付けた照明器具用スイッチ装置（付加スイッチＢ）の構造図である。
３３  付加スイッチＢ
３４  ＬＥＤ−Ｂ
３５  コードＣ
３６  レバーＥ
３７  オン−オフスイッチＥ
【００２４】
本具体例は既存の家庭用蛍光灯照明器具を今まで述べたナツメ球を直接オン−オフする機能に改造するための改造用新規部品に関するものである。具体例５の機能にさらに操作紐の先端にＬＥＤを取り付けたものである。
付加スイッチＢ（３３）にはナツメ球と同じ形のコンネクタプラグＡ（３０）、ナツメ球用ソケットと同じ形をしたコンネクタジャックＡ（３１）、コードＣ（３５）を引くとレバーＥ（３６）を介して切替え動作をするオン−オフスイッチＥ（３７）が備わっている。
さらに、付加スイッチＢ（３３）には、オン−オフスイッチＥ（３７）の定常状態時に抵抗器（２４）、ＬＥＤ電源コンネクタ（２０）、コードＣ（３５）、を電流が通りＬＥＤ―Ｂ（３４）を点灯させる。
コードＣ（３５）は紐Ｃ（２１）にからめてもよいが、紐Ｃ（２１）を用いずコードＣ（３５）だけでもよい。具体例３参照。
使用方法及び機能動作。取り付け、操作方法は具体例５と同じである。
ＬＥＤ−Ｂ（３４）は既存蛍光灯の紐Ａ（９）の操作でスイッチ１（７）のナツメ球点灯の位置で、常時点燈する。
【００２５】
〈具体例７〉
図１７は具体例７の外観斜視図である。
図１８はスイッチ部のロータリー型スイッチ機構である。
図１９は電気回路である。
３８  紐Ｅ
３９  ラチエットポール
４０  スイッチ機構部
４１  ランプ部
４２  レバーＦ
４３  ロータリーラチエット
４４  ラチエットストッパ
４５  下部ストッパ
４６  上部ストッパ
４７  移動接点
４８  静止接点
４９  ナツメ球と同じ形のソケット
５０  定電流回路
５１  整流回路
５２  マトリックス回路用ＬＥＤ、あるいはダイオード
５３  ＲＧＢ表示ＬＥＤ
５４  照明器具用ランプ装置
【００２６】
本具体例は既存の家庭用蛍光灯のナツメ球の代わりに取付ける。紐Ｅ（３８）を引くことによりＲ（赤色）、Ｇ（緑色）、Ｂ（青色）の単色、ＲＧ、ＲＢ、ＧＢ、およびＲＧＢの組み合わせ、消灯、などの色違い照明が楽しめる。
紐Ｅ（３８）には下部にＬＥＤ（３９）を設けてもよいが、本例では小照明の方法を蛍光塗料の光とした場合について説明する、上部はレバーＦ（４２）に結ばれている。
レバーＦ（４２）はスプリングの力で引き上げられ上部ストッパ（４６）の位置に止まっている。下へ引かれるとラチエットポール（３９）でロータリーラチエット（４３）を１ステップ進めて下部ストッパ４５で停止する。ロータリーラチエット（４３）の回転はラチエットストッパ（４４）の位置で保持される。これによりロータリーラチエット（４３）に付いている移動接点（４７）が次の静止接点（４８）に進む、こうして紐Ｅ（３８）を順次引くことにより８通りの切替えができる。
ダイオードやＬＥＤのマトリックス接続によりＲ，Ｇ，Ｂの照明組み合わせが７通り、ＯＦＦ（消灯）を含めて８通りできる。
ＬＥＤの点灯には１０ｍＡ程度の小電流があればよいので電流を下げるため定電流回路（５０）を通して点灯電流を供給する。また、定電流回路（５０）の代わり適度な抵抗器を入れてもよい。
ＲＧＢ表示ＬＥＤ（５３）はＲ、Ｇ、Ｂがそれぞれ隣り合わせるように配列すると色の変化がより楽しめる。
使用方法及び機能動作。既存の蛍光灯照明器具のナツメ球を取り外す。本具体例７の照明器具用ランプ装置（５４）をナツメ球を外したあとにねじ込む。
既存の蛍光灯の紐Ａ（９）を操作しナツメ球点灯の位置にする。そこで照明器具用ランプ装置（５４）の紐Ｅ（３８）を操作すると、紐Ｅ（３８）を引いた順番にＲ、Ｇ、Ｂ、ＲＧ、ＲＢ、ＧＢ、ＲＧＢ、消灯の順に点灯する。点灯順序はマトリックスの設定変更で可能（工場出荷前）。
【００２７】
特許請求範囲の補足
１．請求項２において照明器具用スイッチ装置は従来の照明装置のナツメ球用ソケットとナツメ球の間にねじ込んで使用する例（図１４）になっているが、具体例８として図２０、２１に示すようにナツメ球形オスソケット（５５）を用いてコードＤ（５８）を介し本体のナツメ球ソケットに取付け、マグネット（５７）を持った付加スイッチＣ（５６）は本体蛍光灯の鉄板部（５９）に吸引取付けして使用してもよい。
図２０は具体例８の外観斜視図である。
図２１は具体例８付加スイッチＣ部の構成図である。
５５  ナツメ球形オスソケット
５６  付加スイッチＣ
５７  取付けマグネット
５８  コードＤ
５９  蛍光灯鉄板部
２．請求項４において照明器具用ランプ装置はナツメ球のと同じ形のオス入力コンセントとなっているが、これにこだわらず標準ランプのと同じ形のオス入力コンセントを備えてもよい。そうすれば一般のランプ（４０Ｗ、６０Ｗ等）の代わりに取付けて多様な照明色が楽しめる。なを、切替えスイッチは吊り下げ紐で操作するようになっているが、本ランプ装置では，紐を介さず、直接手で操作する回転式やプッシュ式のスイッチを用いてもよい。
【００２８】
以上説明した本発明のうち「照明器具用ランプ装置」は、家庭用切替えスイッチ付き蛍光灯用のみならず、一般の電球にかえて使用電力の低減とムードを楽しむといった用途に広く利用することが可能である。
【００２９】
【発明の効果】
以上のように、本発明にはそれぞれ次のような効果がある。
第１に、具体例１で説明したように、既存の家庭用蛍光灯の点灯順序は、ナツメ球点灯の次は消灯、その次は最大明るさの点灯となっていた。これに対し本具体例ではナツメ球点灯回路に直列にオンーオフスイッチ入れた。既存のスイッチでナツメ球を点灯状態にし、追加スイッチでオンーオフすれば、ナツメ球点灯―ナツメ球消灯―ナツメ球点灯を繰り返す。従ってもし，そこの寝室に他の人が寝ていた場合等には明るくなったために眼がさめたりする不便が減るという効果がある。
第２に、具体例３で説明したように、ナツメ球のオンーオフスイッチ操作紐の先端にナツメ球の明るさよりずっと暗い（例としてＬＥＤ１ヶ）発光素子をつけると、ナツメ球が消灯時でも操作紐を容易に探り当てられ便利になるという効果がある。
第３に、具体例３で説明したように、小照明を付ける場合、つり紐プラスＬＥＤへの電流供給線２本で計３本ではなく、つり紐を削除すると、紐がかさばらず、コストも下がるという効果がある。
第４に、具体例３で説明したように、ＬＥＤへ電流を２本のコードで供給する場合、切替えスイッチ側で低電流化（小電流化、直列抵抗を入れる，実施例は１０ｍＡ）したものをコードへ供給すれば、コードやＬＥＤが破損した場合など、ショートしたり、裸線に人が触っても安全であり事故を防げるという効果がある。
第５に、具体例３で説明したように、ＬＥＤに電流供給する電源側コードの電源側にコンネクタを設け、コンネクタが抜ける力をコードやＬＥＤが破損する力より低く設定すれば、コードやＬＥＤが破損する前にコンネクタが抜けるため事故が防げるという効果がある。
第６に、具体例５で説明したように、既存の家庭用蛍光灯のナツメ球とソケットの間に、吊り下げ紐付きオンーオフスイッチ（付加スイッチＡ）（２７）を取付ければ、第１の効果と同じ効果が簡単に得られる。
第７に、具体例７で説明したように、ナツメ球の代わりに照明器具用ランプ装置（５４）を取付けると、通常の明るい蛍光灯照明と本照明用ランプ装置（５４）の多色光のムード照明とを簡単に切替えて楽しめる効果がある。
第８に、特許請求の範囲の項で説明したように、本照明器具用ランプ装置（５４）のねじ込み口を、電源ソケットに合わせた単品でもスイッチを切替えるだけで７種類の色合いが楽しめる効果がある。
【図面の簡単な説明】
【図１】図１は、具体例１の外観斜視図である。
【図２】図２は従来の照明器具の斜視図である。
【図３】図３は、具体例１の回路図である。
【図４】図４は従来の照明器具の回路図である。
【図５】図５は具体例２の外観斜視図である。
【図６】図６は具体例２のスイッチ機構及び回路の構成図である。
【図７】図７は具体例３の外観斜視図である。
【図８】図８は具体例３のスイッチ機構やＬＥＤ照明、電源供給の構成図である。
【図９】図９は具体例４の外観斜視図である。
【図１０】図１０は具体例４のスイッチ機構と関連部分の構成図である。
【図１１】図１１は具体例３の回路図である。
【図１２】図１２は具体例４の回路図である。
【図１３】図１３は具体例５の外観斜視図である。
【図１４】図１４は照明器具用スイッチ装置（付加スイッチＡ）の構造図である。
【図１５】図１５は具体例６の外観斜視図である。
【図１６】図１６は紐先端にＬＥＤを付けた照明器具用スイッチ装置（付加スイッチＢ）の構造図である。
【図１７】図１７は具体例７の外観斜視図である。
【図１８】図１８はスイッチ部のロータリー型スイッチ機構である。
【図１９】図１９は電気回路である。
【図２０】図２０は具体例８の外観斜視図である。
【図２１】図２１は具体例８付加スイッチＣ部の構成図である。
【符号の説明】
１  傘
２  蛍光灯
３  グローランプ
４  ナツメ球
５  紐
６  電源コード
７  スイッチ１
８  トランスやコイル
９  紐Ａ
１０  紐Ｂ
１１  スイッチ２
１２  スイッチ機構Ｂ
１３  スイッチ機構Ｃ
１４  コード穴付レバー
１５  スイッチ２コンタクト
１６  コードＡ
１７  ノブＡ
１８  ＬＥＤ−Ａ
１９  コードＢ
２０  ＬＥＤ電源コンネクタ
２１  紐Ｃ
２２  レバーＣ
２３  ＬＥＤ
２４  抵抗器
２５  ＬＥＤ付スイッチＡ
２６  ＬＥＤ電源コンネクタＢ
２７  付加スイッチＡ
２８  紐Ｄ
２９  レバーＤ
３０  コンネクタプラグＡ
３１  コンネクタジャックＡ
３２  オン−オフスイッチＤ
３３  付加スイッチＢ
３４  ＬＥＤ−Ｂ
３５  コードＣ
３６  レバーＥ
３７  オン−オフスイッチＥ
３８  紐Ｅ
３９  ラチエットポール
４０  スイッチ機構部
４１  ランプ部
４２  レバーＦ
４３  ロータリーラチエット
４４  ラチエットストッパ
４５  下部ストッパ
４６  上部ストッパ
４７  移動接点
４８  静止接点
４９  ナツメ球と同じ形のソケット
５０  定電流回路
５１  整流回路
５２  マトリックス回路用ＬＥＤ、あるいはダイオード
５３  ＲＧＢ表示ＬＥＤ
５４  照明器具用ランプ装置
５５  ナツメ球形オスソケット
５６  付加スイッチＣ
５７  取付けマグネット
５８  コードＤ
５９  蛍光灯鉄板部
６０  ＡＣ電源用コンネクタ
６１  オン−オフスイッチＤ機構部
６２  ラチエットストッパＢ
【図１】
2004327333.tif 000003
【図２】
2004327333.tif 000004
【図３】
2004327333.tif 000005
【図４】
2004327333.tif 000006
【図５】
2004327333.tif 000007
【図６】
2004327333.tif 000008
【図７】
2004327333.tif 000009
【図８】
2004327333.tif 000010
【図９】
2004327333.tif 000011
【図１０】
2004327333.tif 000012
【図１１】
2004327333.tif 000013
【図１２】
2004327333.tif 000014
【図１３】
2004327333.tif 000015
【図１４】
2004327333.tif 000016
【図１５】
2004327333.tif 000017
【図１６】
2004327333.tif 000018
【図１７】
2004327333.tif 000019
【図１８】
2004327333.tif 000020
【図１９】
2004327333.tif 000021
【図２０】
2004327333.tif 000022
【図２１】
2004327333.tif 000023